(57)【要約】      （修正有）【課題】自転車などのシートベルトを、受入ホルダーに挿入時に、衣服を挟さむ等のトラブルや衣服の損傷等を防止し、容易に挿入を可能とする衣服巻き込み防止板を提供する。【解決手段】軟性のプラスチック樹脂を金型を用いたインジェクション等の製法で制作したもので、衣服よけ板３を柱に足部１、シート上安定板２、背もたれ前部４、背もたれ側板５が設けられる。【選択図】図３
0003152885.tif 000002
【実用新案登録請求の範囲】
【請求項１】
本考案の衣服巻き込み防止板は、軟性のプラスチック樹脂を金型を用いたインジェクション等の製法で制作したもので、自動車などのシートベルトを、受入ホルダーに挿入する場合のトラブルに関与するもので、衣服を挟さむ等、衣服の損傷を防止しようと考案された物であるが、衣服よけ板３を軸に足部１、シート上安定版２、背もたれ前部４、背もたれ側板５が周りに設けられ、設置は、自動車の右ハンドル用の運転席で言えば、シートベルトの受入ホルダー６の内面、つまり、運転手側のシート座部８と受入ホルダー６の間に差し込むように入れる足部１、同時に、シートの上面より深く入らないようにシート上安定板２、背もたれ前部４、と背もたれ側板５で背もたれにも接し、総てがシートに密着安定するように設けてあり、使用は、衣服よけ板３により衣服は受入ホルダー６には被らず遮断され、衣服を挟まないでシートベルトを着用出来るように構成されているが、更に助手席も、助手席用に反対に曲げられた衣服巻き込み防止板を運転席同様にして使用することが出来る。
【請求項２】
本考案の衣服巻き込み防止板の変形版として、新車に搭載されている受入ホルダー６に、衣服よけ板３に相当する板状の物を何らかの方法で接着し製品とした場合もよい。
【考案の詳細な説明】
【技術分野】
【０００１】  本考案は、シートベルト装着時において、衣服を巻き込みやすく、衣服の損傷を気にして、急ぐ時などかえって時間がかかるなどのトラブルを解消する物である。
【背景技術】
【０００２】  従来のシートベルト装着と言えば、衣服がシートベルトの上に被った状態で、衣服をはね除けはね除け受入ホルダーを探し、無理矢理はめ込むのが日常の姿であった。
【考案の開示】
【考案が解決しようとする課題】
【０００３】  そこで、衣服は受入ホルダーの上に被るのが当然であるが、衣服が受入ホルダーの上に被りにくく、シートベルト装着時に衣服を挟まない工夫が課題となる。
【課題を解決するための手段】
【０００４】  上記課題を達成するために、仕切りを設けることとし、本考案は、受入ホルダーの内面、つまり使用者側に衣服巻き込み防止板を設置した。
【考案の効果】
【０００５】  本考案は、上述の通り構成されているので、次に記載する効果を奏する。
本考案の衣服巻き込み防止板を使用することにより、衣服を挟まずシートベルトを装着出来るのである。
【考案を実施するための最良の形態】
【０００６】  本考案の衣服巻き込み防止板は、シートベルト装着時に、利用する人の手を怪我しないように材質を軟性の樹脂とし、更にシートベルトを容易に装着出来るように、大きさも１５センチメートルから２０センチメートル平方前後とした。使用は、右ハンドル用運転席で言えば、自動車のシートベルトの受入ホルダー６の内面、つまり、運転手側のシート座部８と受入ホルダー６の間に足部１を差し込むように入れるが、この時、もともと新車の受入ホルダー６に設けてあるシート側へ働くバネ圧力も利用して差し込み安定させ、同時に、シート上安定板２がシート座部８と、背もたれ前部４と背部シート７の前面、背もたれ側板５と背部シート７の側面にそれぞれシートに密着安定するように設置して使用することで、衣服を挟まないでスムースにシートベルトを着用出来るのである。本考案の衣服巻き込み防止板であるが、助手席は、助手席用に反対に曲げられたものを運転席同様にして使用する。参考図として［図３］の３−１，３−２。【０００７】  また、本考案の衣服巻き込み防止板の変形版としては、新車にもともと搭載されている受入ホルダー６に衣服よけ板３に相当する板状の物を何らかの方法で接着し製品とした場合、参考図として［図４］の４−１，４−２に表した、もよい。
【実施例】
【０００８】    実施例について図面を参照して説明する。
衣服巻き込み防止板の使用は、足部１を受入ホルダー６とシート座部８の間に差し込み設置するが、その際に、右ハンドルの場合は運転席側で言うと運転席のシート座部８と受入ホルダー６の間に本考案の衣服巻き込み防止板の足部１を差し込み、背もたれ前部４が背部シート７に沿うように設けてあるので安定設置され、更に、シート上安定板２によって深く沈まず前者と相まって安定をなす。シートベルトを着用するときには、衣服巻き込み防止板の衣服よけ板３によって受入ホルダー６に被るのが防止され、シートベルトの着用が容易となる。助手席、左ハンドル用も操作は反対になるが同様に行うとよい。
【図面の簡単な説明】
【０００９】
【図１】１−１  本考案の、右ハンドル用で運転席側の衣服巻き込み防止板の側面図である。１−２  本考案の、右ハンドル用で運転席側の衣服巻き込み防止板の正面図である。
【図２】本考案の、衣服巻き込み防止板の平面図である。
【図３】３−１  本考案の、右ハンドルで助手席の衣服巻き込み防止板の斜視図である。３−２  本考案の、右ハンドルで助手席の衣服巻き込み防止板の斜視図で使用中の図である。
【図４】４−１  新車等において、当初より設置されている受入ホルダー６に、衣服よけ板３の働きを持つ板状の樹脂が接着され、一体とした場合の衣服巻き込み防止板の斜視図である。４−２  新車等において、当初より設置されている受入ホルダー６に、衣服よけ板３の働きを持つ板状の樹脂が接着され、一体とした場合の衣服巻き込み防止板の斜視図で使用中の図である。
【符号の説明】
【０００１０】１  足部
２  シート上安定板
３  衣服よけ板
４  背もたれ前部
５  背もたれ側板
６  受入ホルダー
７  背部シート
８  シート座部
９  衣服
【図１】
0003152885.tif 000003
【図２】
0003152885.tif 000004
【図３】
0003152885.tif 000005
【図４】
0003152885.tif 000006
【手続補正書】
【提出日】平成21年5月21日(2009.5.21)
【手続補正１】
【補正対象書類名】実用新案登録請求の範囲
【補正対象項目名】全文
【補正方法】変更
【補正の内容】
【実用新案登録請求の範囲】
【請求項１】
衣服巻き込み防止板は、軟性のプラスチック樹脂を金型を用いたインジェクション等の製法で制作したもので、自動車などのシートベルトを、受入ホルダーに挿入時に、衣服を挟さむ等のトラブルや衣服の損傷等を防止し、容易に挿入を可能とすることを目的とし、構造は、衣服よけ板３を柱に足部１、シート上安定版２、背もたれ前部４、背もたれ側板５が設けられており、使用時の設置は、自動車の運転席には、シートベルトの受入ホルダー６の内面つまり運転席側と、運転席側のシート座部８の側面との間に足部１を差し込むように入れ、同時に、シート上安定板２がシート座部８と、背もたれ前部４と背部シート７の前面、背もたれ側板５と背部シート７の側面にそれぞれシートに密着安定するように設置して使用することで、シートベルトを受入ホルダー６に挿入時に、衣服よけ板３が壁となり衣服を挟まず、一方シートベルトは壁を乗り越え、容易に受入ホルダー６に着用出来る衣服巻き込み防止板。
【請求項２】
車のシートベルト受入ホルダー６の運転席側に、衣服よけ板３が設けられ、シートベルト着用時には、使用者の衣服は衣服よけ板３が壁となり衣服を挟まず、容易にシートベルトを着用可能とした衣服巻き込み防止装置。